【手続補正書】
【提出日】平成16年2月5日(2004.2.5)
【手続補正１】
【補正対象書類名】明細書
【補正対象項目名】特許請求の範囲
【補正方法】変更
【補正の内容】
【特許請求の範囲】
【請求項１】
送信した過去のメール及び受信した過去のメールを記憶する記憶手段と、
新たに送信するメールの内容をメール作成操作に応じて入力する操作手段と、
この操作手段によって入力されたメールの内容に含まれている所定の情報と一致する情報を含む過去のメールを上記記憶手段から抽出する抽出手段と、
上記抽出手段によって抽出された過去のメールを所定の出力手段に出力する出力制御手段と、
を備えたことを特徴とする送受信データ処理装置。
【請求項２】
送信した過去のメール及び受信した過去のメールを記憶する記憶手段と、
新たに受信したメールの内容をメール開封操作に応じて開封する操作手段と、
この操作手段によって開封されたメールの内容に含まれている所定の情報と一致する情報を含む過去のメールを上記記憶手段から抽出する抽出手段と、
上記抽出手段によって抽出された過去のメールを所定の出力手段に出力する出力制御手段と、
を備えたことを特徴とする送受信データ処理装置。
【請求項３】
上記所定の情報は、上記操作手段によって設定された情報であり、上記抽出手段によって抽出された複数の情報における少なくとも１つの情報を設定することを特徴とする請求項１又は２に記載の送受信データ処理装置。
【請求項４】
上記所定の情報は、上記メールの内容を文節ごとに分割した際の各文節の情報であり、上記抽出手段によって抽出された過去のメールが複数である場合には、上記メールの内容を文節ごとに分割した際の各文節の情報と一致する情報の数が多い順に過去の各メールを出力することを特徴とする請求項１又は２に記載の送受信データ処理装置。
【請求項５】
送信した過去のメール及び受信した過去のメールを記憶する記憶手段と、
新たに送信するメールの内容をメール作成操作に応じて入力する操作手段と、
この操作手段によって入力されたメールの宛先アドレスにホームページアドレスが有るか否かを判別するアドレス判別手段と、
上記ホームページアドレスが有る場合には、所定の通信手段を介して上記ホームページアドレスに接続する接続制御手段と、
接続された上記ホームページの内容を所定の出力手段に出力する出力制御手段と、
を備えたことを特徴とする送受信データ処理装置。
【請求項６】
送信した過去のメール及び受信した過去のメールを記憶する記憶手段と、
新たに受信したメールの内容をメール開封操作に応じて開封する操作手段と、
この操作手段によって開封されたメールの差出人アドレスにホームページアドレスが有るか否かを判別するアドレス判別手段と、
上記ホームページアドレスが有る場合には、所定の通信手段を介して上記ホームページアドレスに接続する接続制御手段と、
接続された上記ホームページの内容を所定の出力手段に出力する出力制御手段と、
を備えたことを特徴とする送受信データ処理装置。
【請求項７】
所定の記憶手段に記憶されている過去のメール又は新たに送信するメール若しくは新たに受信したメールにおける任意のメールを指定するメール指定手段と、
このメール指定手段によって指定されたメールにホームページアドレスが有るか否かを判別するアドレス判別手段と、
上記ホームページアドレスが有る場合には、所定の通信手段を介して上記ホームページアドレスに接続する接続制御手段と、
接続された上記ホームページの内容を所定の出力手段に出力する出力制御手段と、
を備えたことを特徴とする送受信データ処理装置。
【請求項８】
送信した過去のメール及び受信した過去のメールを所定の記憶手段に記憶する記憶手順と、
新たに送信するメールの内容をメール作成操作に応じて入力する入力手順と、  この入力手順によって入力されたメールの内容に含まれている所定の情報と一致する情報を含む過去のメールを上記記憶手段から抽出する抽出手順と、
上記抽出手順によって抽出された過去のメールを所定の出力手段に出力する出力制御手順と、
を実行する送受信データ処理のプログラムを記憶したことを特徴とする記憶媒体。
【請求項９】
送信した過去のメール及び受信した過去のメールを所定の記憶手段に記憶する記憶手順と、
新たに受信したメールの内容をメール開封操作に応じて開封する開封手順と、  この開封手順によって開封されたメールの内容に含まれている所定の情報と一致する情報を含む過去のメールを上記記憶手段から抽出する抽出手順と、
上記抽出手順によって抽出された過去のメールを所定の出力手段に出力する出力制御手順と、
を実行する送受信データ処理のプログラムを記憶したことを特徴とする記憶媒体。
【請求項１０】
送信した過去のメール及び受信した過去のメールを所定の記憶手段に記憶する記憶手順と、
新たに送信するメールの内容をメール作成操作に応じて入力する入力手順と、
この入力手順によって入力されたメールの宛先アドレスにホームページアドレスが有るか否かを判別するアドレス判別手順と、
上記ホームページアドレスが有る場合には、所定の通信手段を介して上記ホームページアドレスに接続する接続制御手順と、
接続された上記ホームページの内容を所定の出力手段に出力する出力制御手順と、
を実行する送受信データ処理のプログラムを記憶したことを特徴とする記憶媒体。
【請求項１１】
送信した過去のメール及び受信した過去のメールを所定の記憶手段に記憶する記憶手順と、
新たに受信したメールの内容をメール開封操作に応じて開封する開封手順と、
この開封手順によって開封されたメールの差出人アドレスにホームページアドレスが有るか否かを判別するアドレス判別手順と、
上記ホームページアドレスが有る場合には、所定の通信手段を介して上記ホームページアドレスに接続する接続制御手順と、
接続された上記ホームページの内容を所定の出力手段に出力する出力制御手順と、
を実行する送受信データ処理のプログラムを記憶したことを特徴とする記憶媒体。
【請求項１２】
所定の記憶手段に記憶されている過去のメール又は新たに送信するメール若しくは新たに受信したメールにおける任意のメールを指定するメール指定手順と、
このメール指定手順によって指定されたメールにホームページアドレスが有るか否かを判別するアドレス判別手順と、
上記ホームページアドレスが有る場合には、所定の通信手段を介して上記ホームページアドレスに接続する接続制御手順と、
接続された上記ホームページの内容を所定の出力手段に出力する出力制御手順と、
を実行する送受信データ処理のプログラムを記憶したことを特徴とする記憶媒体。
【手続補正２】
【補正対象書類名】明細書
【補正対象項目名】０００５
【補正方法】変更
【補正の内容】
【０００５】
請求項８に記載の記憶媒体は、送信した過去のメール及び受信した過去のメールを所定の記憶手段に記憶する記憶手順と、新たに送信するメールの内容をメール作成操作に応じて入力する入力手順と、この入力手順によって入力されたメールの内容に含まれている所定の情報と一致する情報を含む過去のメールを上記記憶手段から抽出する抽出手順と、上記抽出手順によって抽出された過去のメールを所定の出力手段に出力する出力制御手順と、を実行する送受信データ処理のプログラムを記憶している。


【手続補正３】
【補正対象書類名】明細書
【補正対象項目名】０００６
【補正方法】変更
【補正の内容】
【０００６】
請求項１に記載の送受信データ処理装置の発明、又は請求項８に記載の記憶媒体の発明によれば、新たに送信するメ−ルを作成するときに、その作成するメールの内容に含まれている所定の情報と一致する情報を含む過去のメールを絞り込んで抽出し、その抽出したメールを所定の出力手段に出力する。


【手続補正４】
【補正対象書類名】明細書
【補正対象項目名】０００８
【補正方法】変更
【補正の内容】
【０００８】
請求項９に記載の記憶媒体は、送信した過去のメール及び受信した過去のメールを所定の記憶手段に記憶する記憶手順と、新たに受信したメールの内容をメール開封操作に応じて開封する開封手順と、この開封手順によって開封されたメールの内容に含まれている所定の情報と一致する情報を含む過去のメールを上記記憶手段から抽出する抽出手順と、上記抽出手順によって抽出された過去のメールを所定の出力手段に出力する出力制御手順と、を実行する送受信データ処理のプログラムを記憶している。


【手続補正５】
【補正対象書類名】明細書
【補正対象項目名】０００９
【補正方法】変更
【補正の内容】
【０００９】
請求項２に記載の送受信データ処理装置の発明、又は請求項９に記載の記憶媒体の発明によれば、新たに受信したメールを開封したときに、その開封したメールの内容に含まれている所定の情報と一致する情報を含む過去のメールを絞り込んで抽出し、所定の出力手段に抽出したメールを出力する。


【手続補正６】
【補正対象書類名】明細書
【補正対象項目名】００１０
【補正方法】変更
【補正の内容】
【００１０】
請求項５に記載の送受信データ処理装置は、送信した過去のメール及び受信した過去のメールを記憶する記憶手段（実施形態においては、図１のＲＡＭ３に対応する）と、新たに送信するメールの内容をメール作成操作に応じて入力する操作手段（実施形態においては、図１の入力部２に対応する）と、この操作手段によって入力されたメールの宛先アドレスにホームページアドレスが有るか否かを判別するアドレス判別手段（実施形態においては、図１のＣＰＵ１に対応する）と、上記ホームページアドレスが有る場合には、所定の通信手段（実施形態においては、図１の伝送制御部８に対応する）を介して上記ホームページアドレスに接続する接続制御手段（実施形態においては、図１のＣＰＵ１に対応する）と、接続された上記ホームページの内容を所定の出力手段（実施形態においては、図１の表示部６に対応する）に出力する出力制御手段（実施形態においては、図１のＣＰＵ１に対応する）と、を備えた構成になっている。


【手続補正７】
【補正対象書類名】明細書
【補正対象項目名】００１１
【補正方法】変更
【補正の内容】
【００１１】
請求項１０に記載の記憶媒体は、送信した過去のメール及び受信した過去のメールを所定の記憶手段に記憶する記憶手順と、新たに送信するメールの内容をメール作成操作に応じて入力する入力手順と、この入力手順によって入力されたメールの宛先アドレスにホームページアドレスが有るか否かを判別するアドレス判別手順と、上記ホームページアドレスが有る場合には、所定の通信手段を介して上記ホームページアドレスに接続する接続制御手順と、接続された上記ホームページの内容を所定の出力手段に出力する出力制御手順と、を実行する送受信データ処理のプログラムを記憶している。


【手続補正８】
【補正対象書類名】明細書
【補正対象項目名】００１２
【補正方法】変更
【補正の内容】
【００１２】
請求項５に記載の送受信データ処理装置の発明、又は請求項１０に記載の記憶媒体の発明によれば、新たに送信するメ−ルを作成するときに、その作成するメールの宛先アドレスに含まれているホームページアドレスに接続して、ホームページの内容を所定の出力手段に出力する。


【手続補正９】
【補正対象書類名】明細書
【補正対象項目名】００１３
【補正方法】変更
【補正の内容】
【００１３】
請求項６に記載の送受信データ処理装置は、送信した過去のメール及び受信した過去のメールを記憶する記憶手段（実施形態においては、図１のＲＡＭ３に対応する）と、新たに受信したメールの内容をメール開封操作に応じて開封する操作手段（実施形態においては、図１の入力部２に対応する）と、この操作手段によって開封されたメールの差出人アドレスにホームページアドレスが有るか否かを判別するアドレス判別手段（実施形態においては、図１のＣＰＵ１に対応する）と、上記ホームページアドレスが有る場合には、所定の通信手段（実施形態においては、図１の伝送制御部８に対応する）を介して上記ホームページアドレスに接続する接続制御手段（実施形態においては、図１のＣＰＵ１に対応する）と、接続された上記ホームページの内容を所定の出力手段（実施形態においては、図１の表示部６に対応する）に出力する出力制御手段（実施形態においては、図１のＣＰＵ１に対応する）と、を備えた構成になっている。


【手続補正１０】
【補正対象書類名】明細書
【補正対象項目名】００１４
【補正方法】変更
【補正の内容】
【００１４】
請求項１１に記載の記憶媒体は、送信した過去のメール及び受信した過去のメールを所定の記憶手段に記憶する記憶手順と、新たに受信したメールの内容をメール開封操作に応じて開封する開封手順と、この開封手順によって開封されたメールの差出人アドレスにホームページアドレスが有るか否かを判別するアドレス判別手順と、上記ホームページアドレスが有る場合には、所定の通信手段を介して上記ホームページアドレスに接続する接続制御手順と、接続された上記ホームページの内容を所定の出力手段に出力する出力制御手順と、を実行する送受信データ処理のプログラムを記憶している。


【手続補正１１】
【補正対象書類名】明細書
【補正対象項目名】００１５
【補正方法】変更
【補正の内容】
【００１５】
請求項６に記載の送受信データ処理装置の発明、又は請求項１１に記載の記憶媒体の発明によれば、新たに受信したメールを開封したときに、その開封したメールの差出人アドレスに含まれているホームページアドレスに接続して、ホームページの内容を所定の出力手段に出力する。


【手続補正１２】
【補正対象書類名】明細書
【補正対象項目名】００１６
【補正方法】変更
【補正の内容】
【００１６】
請求項７に記載の送受信データ処理装置は、所定の記憶手段（実施形態においては、図１のＲＡＭ３に対応する）に記憶されている過去のメール又は新たに送信するメール若しくは新たに受信したメールにおける任意のメールを指定するメール指定手段（実施形態においては、図１の入力部２及びＣＰＵ１に対応する）と、このメール指定手段によって指定されたメールにホームページアドレスが有るか否かを判別するアドレス判別手段（実施形態においては、図１のＣＰＵ１に対応する）と、ホームページアドレスが有る場合には、所定の通信手段（実施形態においては、図１の伝送制御部８に対応する）を介して上記ホームページアドレスに接続する接続制御手段（実施形態においては、図１のＣＰＵ１に対応する）と、接続された上記ホームページの内容を所定の出力手段（実施形態においては、図１の表示部６に対応する）に出力する出力制御手段（実施形態においては、図１のＣＰＵ１に対応する）と、を備えた構成になっている。


【手続補正１３】
【補正対象書類名】明細書
【補正対象項目名】００１７
【補正方法】変更
【補正の内容】
【００１７】
請求項１２に記載の記憶媒体は、所定の記憶手段に記憶されている過去のメール又は新たに送信するメール若しくは新たに受信したメールにおける任意のメールを指定するメール指定手順と、このメール指定手順によって指定されたメールにホームページアドレスが有るか否かを判別するアドレス判別手順と、上記ホームページアドレスが有る場合には、所定の通信手段を介して上記ホームページアドレスに接続する接続制御手順と、接続された上記ホームページの内容を所定の出力手段に出力する出力制御手順と、を実行する送受信データ処理のプログラムを記憶している。


【手続補正１４】
【補正対象書類名】明細書
【補正対象項目名】００１８
【補正方法】変更
【補正の内容】
【００１８】
請求項７に記載の送受信データ処理装置の発明、又は請求項１２に記載の記憶媒体の発明によれば、任意に指定したメールのホームページアドレスに含まれているホームページアドレスに接続して、ホームページの内容を所定の出力手段に出力する。


【手続補正１５】
【補正対象書類名】明細書
【補正対象項目名】００６８
【補正方法】変更
【補正の内容】
【００６８】
【発明の効果】
請求項１に記載の送受信データ処理装置の発明又は請求項８に記載の記憶媒体の発明によれば、新たに送信するメールを作成するときに、その作成するメールの内容に含まれている所定の情報と一致する情報を含む過去のメールを絞り込んで抽出し、所定の出力手段に抽出したメールを出力する。
したがって、新たに送信するメールを作成する時に、煩雑な作業を伴うことなくかつ極めて迅速に、同じ相手先に対して過去に送信したメール及び同じ相手先から過去に受信したメールを容易に参照できる。


【手続補正１６】
【補正対象書類名】明細書
【補正対象項目名】００６９
【補正方法】変更
【補正の内容】
【００６９】
請求項２に記載の送受信データ処理装置の発明又は請求項９に記載の記憶媒体の発明によれば、新たに受信したメール開封したときに、その開封したメールの内容に含まれている所定の情報と一致する情報を含む過去のメールを絞り込んで抽出し、所定の出力手段に抽出したメールを出力する。
したがって、新たに受信したメールを開封した時に、煩雑な作業を伴うことなくかつ極めて迅速に、同じ相手先に対して過去に送信したメール及び同じ相手先から過去に受信したメールを容易に参照できる。。


【手続補正１７】
【補正対象書類名】明細書
【補正対象項目名】００７０
【補正方法】変更
【補正の内容】
【００７０】
請求項５に記載の送受信データ処理装置の発明又は請求項１０に記載の記憶媒体の発明によれば、新たに送信するメールを作成したときに、その作成するメールの宛先アドレスに含まれているホームページアドレス接続して、ホームページの内容を所定の出力手段に出力する。
したがって、新たに送信するメールを作成する時に、煩雑な作業を伴うことなくかつ極めて迅速に、同じ相手先に対して過去に送信したメール及び同じ相手先から過去に受信したメールを容易に参照できるが、その絞り込み抽出をユーザーの操作によらず自動的に行うことができる。


【手続補正１８】
【補正対象書類名】明細書
【補正対象項目名】００７２
【補正方法】変更
【補正の内容】
【００７２】
請求項７に記載の送受信データ処理装置の発明又は請求項１２に記載の記憶媒体の発明によれば、任意に指定したメールのアドレスに含まれているホームページアドレスに接続して、ホームページの内容を所定の出力手段に出力する。
したがって、過去の送受信メール、又は、新たに送信するメール若しくは新たに受信して開封したメールを任意に指定した時に、煩雑な作業を伴うことなくかつ極めて迅速に、そのメールのホームページの内容を参照できる。